【手続補正書】
【提出日】平成20年4月4日(2008.4.4)
【手続補正１】
【補正対象書類名】明細書
【補正対象項目名】０００７
【補正方法】変更
【補正の内容】
【０００７】
（第１の実施の形態）
次に本発明の第１の実施の形態について図面を参照して説明する。
図１（Ａ）は筐体１０の記録媒体挿入スリットが閉塞されている状態を示す斜視図、（Ｂ）は筐体１０の記録媒体挿入スリットが開放されている状態を示す斜視図、図２は筐体ボディ１２を示す斜視図である。
図３（Ａ）はパネルフレーム２２の後部フレーム３２を前方の斜め上方から見た斜視図、（Ｂ）は後部フレーム３２を後方の斜め下方から見た斜視図である。
図４（Ａ）はガイド板３０を前方の斜め下方から見た斜視図、（Ｂ）はガイド板３０を後方の斜め下方から見た斜視図である。
図５（Ａ）、（Ｂ）はガイド板３０に組み込まれたギア部分を示す斜視図である。
図６（Ａ）はパネルフレーム２２の前部フレーム２４を前方の斜め上方から見た斜視図、（Ｂ）は前部フレーム２４を後方の斜め下方から見た斜視図である。
図７（Ａ）は上部材２６を前方の斜め上方から見た斜視図、（Ｂ）は上部材２６を後方の斜め下方から見た斜視図である。
図８（Ａ）は下部材２８を前方の斜め上方から見た斜視図、（Ｂ）は下部材２８を後方の斜め下方から見た斜視図である。
図９はパネルフレーム２２を組み立てた状態で膨出壁２４０７を取り除いた斜視図である。
図１０はパネルフレーム２２を組み立てた状態で斜め後方から見た斜視図である。
図１１はプリント基板３２２０の斜視図である。
図１２（Ａ）、（Ｂ）はスライド部材５０の斜視図である。
図１３は筐体１０の記録媒体挿入スリット１４が閉塞されている状態における上部材２６、下部材２８を示す斜視図である。
図１４は筐体１０の記録媒体挿入スリット１４が開放されている状態における上部材２６、下部材２８を示す斜視図である。
図１５、図１６は筐体１０の記録媒体挿入スリット１４が閉塞されている状態における上部材２６、下部材２８およびガイド板３０を示す斜視図である。
図１７、図１８は筐体１０の記録媒体挿入スリット１４が開放されている状態における上部材２６、下部材２８およびガイド板３０を示す斜視図である。
図１９乃至図２５は上部材２６および下部材２８の動作を示す説明図である。
図２６は筐体ボディ１２前部に設けられた係脱機構を構成するブラケット１８０２とリリースレバー１８０４の正面図、図２７はブラケット１８０２とリリースレバー１８０４の組み立て図、図２８はスライド部材１８０６と可動爪１８０８の正面図、図２９（Ａ）、（Ｂ）はスライド部材１８０６と可動爪１８０８の組み立て図、図３０（Ａ）はロック状態における係脱機構１８の説明図、（Ｂ）はロック解除状態における係脱機構１８の説明図、図３１（Ａ）は図３０（Ａ）のＡ矢視図、（Ｂ）は図３０（Ａ）のＢ矢視図である。
【手続補正２】
【補正対象書類名】明細書
【補正対象項目名】００２１
【補正方法】変更
【補正の内容】
【００２１】
次に、図３３乃至図３７を参照して筐体ボディ１２について説明する。
図３２は車載用電子機器１００の筐体ボディ１２内に設けられている駆動機構６０を示す平面図である。
図３３はカム板６６の平面図、図３４は図３３のＡ矢視図、図３５は図３４のＢ矢視図である。
図３６（Ａ）は第１アーム部材６２の正面図、（Ｂ）は（Ａ）のＢ矢視図、（Ｃ）は（Ｂ）のＣ矢視図、（Ｄ）は（Ｃ）のＤ矢視図である。
図３７（Ａ）は第２アーム部材６４の正面図、（Ｂ）は（Ａ）のＢ矢視図、（Ｃ）は（Ｂ）のＣ矢視図、（Ｄ）は（Ｃ）のＤ矢視図である。
【手続補正３】
【補正対象書類名】明細書
【補正対象項目名】００２７
【補正方法】変更
【補正の内容】
【００２７】
図３８は、車載用電子機器１００の制御系の構成を示すブロック図である。
図３８を参照して車載用電子機器の制御系の構成について説明すると、車載用電子機器１００は、ＣＤやＤＶＤなどの板状の光ディスク１０２（特許請求の範囲の記録媒体に相当）を回転駆動する駆動手段としてのスピンドルモータ１０４と、光ディスク１０２に光ビームを照射し、その反射光ビームを受光してトラッキングエラー信号、フォーカスエラー信号、同期信号、再生信号を検出する光ピックアップ１０６と、光ピックアップ１０６を光ディスク１０２の半径方向に移動させる駆動手段としての送りモータ１０８とを備えている。
また、車載用電子機器１００は、ドライバ回路１１０、サーボ信号処理回路１１２、信号処理回路１１４、制御回路１１６、ディスプレイ１１８、操作スイッチ１２０、開閉用モータ６８、モータ用ドライバ回路１５２、位置検出スイッチ６００４を有している。
ドライバ回路１１０は、サーボ信号処理回路１１２の制御に基づいてスピンドルモータ１０４、送りモータ１０８、光ピックアップ１０６のアクチュエータに対して駆動信号を供給するものである。
信号処理回路１１４は、光ピックアップ１０６から供給される再生信号を増幅、復調して光ディスク１０２に記録されている音声や画像の情報を再生し、オーディオ信号や映像信号として出力するものである。出力されたオーディオ信号や映像信号はスピーカーやモニタに供給される。
また、信号処理回路１１４は、光ピックアップ１０６から供給されるトラッキングエラー信号、フォーカスエラー信号を増幅、演算してサーボ信号処理回路１１２に供給する。
サーボ信号処理回路１１２は、ドライバ回路１１０を制御することでこのドライバ回路１１０からスピンドルモータ１０４に供給される駆動信号を制御しスピンドルモータ１０４の回転制御を行う。
また、サーボ信号処理回路１１２は、ドライバ回路１１０を制御することでこのドライバ回路１１０から送りモータ１０８に供給される駆動信号を制御し光ピックアップ１０６の光ディスク１０２の半径方向への送り制御（シーク制御）を行う。
また、サーボ信号処理回路１１２は、信号処理回路１１４から供給される前記トラッキングエラー信号、フォーカスエラー信号に基づいてドライバ回路１１０を制御することで、このドライバ回路１１０から光ピックアップ１０６に供給されるトラッキングアクチュエータとフォーカスアクチュエータの駆動信号を制御しトラッキングサーボおよびフォーカスサーボの制御を行う。
【手続補正４】
【補正対象書類名】明細書
【補正対象項目名】００３６
【補正方法】変更
【補正の内容】
【００３６】
本実施の形態によれば、フロントパネルアセンブリ２０が筐体ボディ１２の前面１２０２に着脱可能に装備される電子機器において、フロントパネルアセンブリ２０の背面３２０６にスライド部材５０を設け、このスライド部材５０を往復移動させことで上部材２６を、記録媒体挿入スリット１４を開閉する方向に移動させる連動機構を設けたので、スライド部材５０を往復移動させるという単純な機構を筐体ボディ１２に設けることで記録媒体挿入スリット１４の開閉を行うことができ、筐体ボディ１２に設けられる記録媒体挿入スリット１４の開閉のための構成を簡素化する上で有利となる。
また、本実施の形態では、モータ６８の回転が停止した状態では、第１、第２アーム６２、６４の先端部６２０４、６４０４が最も開いており、スライド部材５０の突起５００４の上下方向の位置の如何に拘わらず、言い換えると、上部材２６の上方位置あるいは下方位置の如何に拘わらず、突起５００４と先端部６２０４、６４０４とが干渉することなく、フロントパネルアセンブリ２０の筐体ボディ１２に対する装脱を円滑かつ確実に行うことができる。このため、フロントパネルアセンブリ２０の筐体ボディ１２に対する装脱を行う際に、フロントパネルアセンブリ２０の上部材２６の上方位置、下方位置を意識する必要がなく、使い勝手を高める上で有利となる。
また、モータ６８の回転が停止した状態では、図１９に示すように、第１、第２アーム６２、６４の先端部６２０４、６４０４が突起５００４から最も離間しているので、上部材２６を上方位置から下方位置に、あるいは、下方位置から上方位置に手で強制的に動かすことも可能となり、手動により記録媒体挿入スリット１４を開閉することができる。
また、本実施の形態では、スライド部材５０の突起５００４が凹部５００６の底面から突設されているので、第１、第２アーム６２、６４の先端部６２０４、６４０２を凹部５００６内に位置させることで、突起５００４と第１、第２アーム６２、６４の先端部６２０４、６４０４とを確実に係合でき、フロントパネルアセンブリ２０の背面３２０６から突出する突起５００４の突出量および筐体ボディ１２の前面１２０２から突出する第１、第２アーム６２、６４の先端部６２０４、６４０４の突出量を抑制できるため、フロントパネルアセンブリ２０および筐体ボディ１２の小型化を図る上で有利となる。
【手続補正５】
【補正対象書類名】明細書
【補正対象項目名】００３７
【補正方法】変更
【補正の内容】
【００３７】
ここで、フロントパネルアセンブリ２０を筐体ボディ１２の前面１２０２に着脱する際の係合爪３２１２と係脱機構１８の動作について説明する。
係脱機構１８は、図２６、図２７に示すように、筐体ボディ１２に固定されたブラケット１８０２と、ブラケット１８０２に対して支軸１８０３を中心に左右方向に揺動可能に支持されたリリースレバー１８０４とを有し、リリースレバー１８０４はスプリング１８２０により閉じる方向に常時付勢されている。
図２８、図２９に示すように、ブラケット１８０２には、スライド部材１８０２が前後方向にスライド可能に支持され、図３０に示すように、スライド部材１８０２はスプリング１８２２により筐体ボディ１２の前面１２０２から常時突出する方向に付勢されている。
図２９に示すように、スライド部材１８０２には、上下に間隔をおいて固定爪１８０７と、上下に揺動可能な可動爪１８０８が設けられ、可動爪１８０８はスプリング１８２２により閉じる方向に常時付勢されている。
【手続補正６】
【補正対象書類名】明細書
【補正対象項目名】００４１
【補正方法】変更
【補正の内容】
【００４１】
【図１】（Ａ）は筐体１０の記録媒体挿入スリットが閉塞されている状態を示す斜視図、（Ｂ）は筐体１０の記録媒体挿入スリットが開放されている状態を示す斜視図である。
【図２】筐体ボディ１２を示す斜視図である。
【図３】（Ａ）はパネルフレーム２２の後部フレーム３２を前方の斜め上方から見た斜視図、（Ｂ）は後部フレーム３２を後方の斜め下方から見た斜視図である。
【図４】（Ａ）はガイド板３０を前方の斜め下方から見た斜視図、（Ｂ）はガイド板３０を後方の斜め下方から見た斜視図である。
【図５】（Ａ）、（Ｂ）はガイド板３０に組み込まれたギア部分を示す斜視図である。
【図６】（Ａ）はパネルフレーム２２の前部フレーム２４を前方の斜め上方から見た斜視図、（Ｂ）は前部フレーム２４を後方の斜め下方から見た斜視図である。
【図７】（Ａ）は上部材２６を前方の斜め上方から見た斜視図、（Ｂ）は上部材２６を後方の斜め下方から見た斜視図である。
【図８】（Ａ）は下部材２８を前方の斜め上方から見た斜視図、（Ｂ）は下部材２８を後方の斜め下方から見た斜視図である。
【図９】パネルフレーム２２を組み立てた状態で膨出壁２４０７を取り除いた斜視図である。
【図１０】パネルフレーム２２を組み立てた状態で斜め後方から見た斜視図である。
【図１１】プリント基板３２２０の斜視図である。
【図１２】（Ａ）、（Ｂ）はスライド部材５０の斜視図である。
【図１３】筐体１０の記録媒体挿入スリット１４が閉塞されている状態における上部材２６、下部材２８を示す斜視図である。
【図１４】筐体１０の記録媒体挿入スリット１４が開放されている状態における上部材２６、下部材２８を示す斜視図である。
【図１５】筐体１０の記録媒体挿入スリット１４が閉塞されている状態における上部材２６、下部材２８およびガイド板３０を示す斜視図である。
【図１６】筐体１０の記録媒体挿入スリット１４が閉塞されている状態における上部材２６、下部材２８およびガイド板３０を示す斜視図である。
【図１７】筐体１０の記録媒体挿入スリット１４が開放されている状態における上部材２６、下部材２８およびガイド板３０を示す斜視図である。
【図１８】筐体１０の記録媒体挿入スリット１４が開放されている状態における上部材２６、下部材２８およびガイド板３０を示す斜視図である。
【図１９】上部材２６および下部材２８の動作を示す説明図である。
【図２０】上部材２６および下部材２８の動作を示す説明図である。
【図２１】上部材２６および下部材２８の動作を示す説明図である。
【図２２】上部材２６および下部材２８の動作を示す説明図である。
【図２３】上部材２６および下部材２８の動作を示す説明図である。
【図２４】上部材２６および下部材２８の動作を示す説明図である。
【図２５】上部材２６および下部材２８の動作を示す説明図である。
【図２６】筐体ボディ１２前部に設けられた係脱機構を構成するブラケット１８０２とリリースレバー１８０４の正面図である。
【図２７】ブラケット１８０２とリリースレバー１８０４の組み立て図である。
【図２８】スライド部材１８０６と可動爪１８０８の正面図である。
【図２９】（Ａ）、（Ｂ）はスライド部材１８０６と可動爪１８０８の組み立て図である。
【図３０】（Ａ）はロック状態における係脱機構１８の説明図、（Ｂ）はロック解除状態における係脱機構１８の説明図である。
【図３１】（Ａ）は図３０（Ａ）のＡ矢視図、（Ｂ）は図３０（Ａ）のＢ矢視図である。
【図３２】車載用電子機器１００の筐体ボディ１２内に設けられている駆動機構６０を示す平面図である。
【図３３】カム板６６の平面図である。
【図３４】図３３のＡ矢視図である。
【図３５】図３４のＢ矢視図である。
【図３６】（Ａ）は第１アーム部材６２の正面図、（Ｂ）は（Ａ）のＢ矢視図、（Ｃ）は（Ｂ）のＣ矢視図、（Ｄ）は（Ｃ）のＤ矢視図である。
【図３７】（Ａ）は第２アーム部材６４の正面図、（Ｂ）は（Ａ）のＢ矢視図、（Ｃ）は（Ｂ）のＣ矢視図、（Ｄ）は（Ｃ）のＤ矢視図である。
【図３８】車載用電子機器１００の制御系の構成を示すブロック図である。
【手続補正７】
【補正対象書類名】図面
【補正対象項目名】図５
【補正方法】変更
【補正の内容】
【図５】
2006344300.tif 000001
【手続補正８】
【補正対象書類名】図面
【補正対象項目名】図３８
【補正方法】変更
【補正の内容】
【図３８】
2006344300.tif 000002